(57)【要約】      （修正有）【課題】現場でトリミングされたパネルを支柱に連結させる自在クリップおよびセキュリティパーティションシステムの提供。【解決手段】少なくとも１つの垂直スロット１４を有する垂直支柱１２ｂと正方形の開口に接する等間隔の水平及び垂直ワイヤ１８、２０を備えるパネル１６と、支柱１２ｂにパネル１６を連結させるためのクリップ２４とを備えるセキュリティパーティションシステム１０であり。クリップ２４は、その１つの側から後方に突出したフィンガーを有し、パネル１６の１つの縁に沿ったパネル開口に接する垂直ワイヤ２０間に垂直ワイヤ２０に重なる構成および寸法とされ、前記フィンガーが前記縁の外側に配列されている前板と、同じ開口に接する水平ワイヤ１８の間に水平ワイヤ１８に重なる裏板と、前記裏板と前板とを相互連結する締結具と、を有し、前記フィンガーが垂直スロット１４に受け入れられパネル１６が支柱１２ｂに連結される。【選択図】図１
2010121439.tif 000002
【特許請求の範囲】
【請求項１】
（ａ）少なくとも１つの垂直スロットを有する垂直支柱と、
（ｂ）正方形の開口に接する等間隔の水平及び垂直ワイヤを備えるパネルと、
（ｃ）前記支柱に前記パネルを連結させるためのクリップであって、
(i)その１つの側から後方に突出するフィンガーを有し、前記パネルの縁に沿った前記開口の１つに接する前記垂直ワイヤ間のギャップに広がり、該垂直ワイヤと重なるような構成および寸法とされた前板と、
(ii)前記１つの開口に接する前記水平ワイヤ間のギャップに広がり、該水平ワイヤに重なるような構成および寸法とされた裏板と、
(iii)前記裏板と前板とを相互連結し、一緒にするように促す締結具と、
を有する、クリップと、
を備え、
前記フィンガーが前記垂直スロットに受け入れられ、これにより前記パネルが前記支柱に連結される、構成部品アセンブリを備えるセキュリティパーティションシステム。
【請求項２】
前記裏板上の前方に突出した周囲フランジをさらに含み、前記フランジは前記水平ワイヤに機械的に係合するように配列される、請求項１に記載のセキュリティパーティションシステム。
【請求項３】
正方形の開口を規定する等間隔の水平および垂直ワイヤから構成されるパネルを、垂直スロットを有する支柱に取り付けるためのクリップであって、
(i)その１つの側から後方に突出するフィンガーを有し、前記パネルの縁に沿った前記開口の１つに接する前記垂直ワイヤ間のギャップに広がり、該垂直ワイヤに重なるような構成および寸法とされ、前記フィンガーが前記縁の外側に配列されている、前板と、
(ii)前方に突出した周囲フランジを有し、前記１つの開口に接する前記水平ワイヤの間のギャップに広がり、該水平ワイヤに重なるような構成および寸法とされ、前記周囲フランジは前記水平ワイヤに機械的に係合する、裏板と、
(iii)前記裏板と前板とを相互連結し、一緒にするように促す締結具と、
を備え、
前記フィンガーが前記垂直スロットに受け入れられ、これにより前記パネルが前記支柱に連結される、クリップ。
【請求項４】
前記前板には、その反対側で後方に突出した別のフィンガーが提供される、請求項３に記載のクリップ。
【請求項５】
前記フィンガーはフック形状であり、前記スロットの底縁と機械的に係合するように構成される、請求項３に記載のクリップ。
【請求項６】
前記前板には、前記フィンガーに隣接した同一平面のサイドフランジがさらに提供され、前記サイドフランジは開口部を有し、この開口部を通って止めピンが前記スロット内に挿入され、前記フィンガーが前記スロットの前記底縁と機械的に係合されて保持される、請求項３に記載のクリップ。
【発明の詳細な説明】
【技術分野】
【０００１】
本発明は、垂直支柱に固定され、それにより相互連結されたワイヤーパネルを使用するセキュリティパーティションシステムに関し、より特定的には、パネルを支柱に連結するために使用される自在クリップ（ｕｎｉｖｅｒｓａｌ  ｃｌｉｐ）に関する。
【背景技術】
【０００２】
従来のセキュリティパーティションシステムは、標準長のワイヤーパネルを用いて組み立て式に作られている。ワイヤーパネルは、支柱内の予め配置されたスロットに機械的に相互係合するように設計された一体取り付けクリップを、その端に有する。
【０００３】
パーティションシステムは通常、分解された状態で出荷され、現場で組み立てられるように設計される。現場での空間的な制限により、１つまたは複数のパネルを短くするように指示される可能性がある。そのようにするには一体取り付けクリップを有する端部分をトリミングし除去する必要があり、これにより、トリミングされたパネルの縁は支柱への取り付け手段がないものとされる。
【発明の概要】
【発明が解決しようとする課題】
【０００４】
本発明の自在クリップは、組立現場で、短くされたパネルのいずれかの端のトリミングされた縁に取り付けられ、これによって、短くされたパネルを支柱に連結させるための手段として機能するように設計される。
【課題を解決するための手段】
【０００５】
本発明によれば、セキュリティパーティションシステムは、複数の横方向に間隔を空けて配置された、垂直スロットを有する垂直支柱と、正方形の開口に接する等間隔の水平および垂直ワイヤーから構成される複数のパネルとを含む、構成部品アセンブリを備える。
【０００６】
クリップはパネルを支柱に連結させるように機能する。クリップは、(i)パネルの縁に沿った開口に接する垂直ワイヤ間のギャップに広がり、該垂直ワイヤに重なるような構成および寸法とされた前板であって、フィンガーが前記前板の少なくとも１つの側から突出し、パネルの縁の外側に配列されている、前板と、(ii)前記同じ開口に接する水平ワイヤ間のギャップに広がり、該水平ワイヤに重なるような構成および寸法とされた裏板であって、裏板上の周囲フランジは水平ワイヤと機械的に係合する、裏板と、(iii)前板と裏板とを相互連結し、一緒にするように促す締結具であって、前板上のフィンガーが支柱の垂直スロット内に受け入れられ、これによりそれらの間の連結が確立される、締結具と、を備える。
【０００７】
好ましくは、前板にはその両側にフィンガーが提供され、このため、クリップがパネルのいずれかの端に取り付けられるように適合される。各フィンガーは好ましくは、支柱の垂直スロットの底縁と機械的に係合するようにフック形状とされる。
【０００８】
前板には好ましくは、各フィンガーに隣接した追加の同一平面のサイドフランジが提供され、サイドフランジには開口部が設けられ、この開口部を通って止めピンが挿入され、垂直スロット内の適当な位置にタッピングされ、フィンガーがスロットの底縁と機械的に係合され保持される。
【０００９】
本発明のこれらのおよび他の特徴ならびに利点について、以下、添付の図面を参照してさらに詳細に記載する。
【図面の簡単な説明】
【００１０】
【図１】本発明によるセキュリティパーティションシステムの例示的な部分の概略図である。
【図２】クリップの分解立体図である。
【図３】図１の線３−３から見た断面図である。
【図４】図３の線４−４から見た断面図である。
【発明を実施するための形態】
【００１１】
最初に図１について説明すると、本発明によるセキュリティパーティションシステムは一般に１０で示されている。システムは典型的に１４で示されている垂直スロットを備えた垂直支柱１２ａ、１２ｂを含む。ワイヤパネル１６は支柱間のギャップに広がっている。パネル１６は正方形の開口に接する等間隔の水平および垂直ワイヤ１８、２０を含む。
【００１２】
図１では、パネル１６の左手側が、パネル１６を支柱１２ａに固定するように機能する標準の永久取り付けクリップ２２を備えるものとして示されている。しかしながら、支柱間の距離「Ｘ」がパネル１６の標準長よりも小さいので、パネル１６の右手側がトリミングされ、そちらの側の標準クリップはトリミングされたパネル部分から除去されることになる。本発明によるクリップ２４は、パネルのトリミングされた縁を支柱１２ｂに固定するための手段を提供する。
【００１３】
さらに、図２〜４について説明すると、各クリップ２４は、各側から後方に突出している、少なくとも１つ、好ましくは２つのフィンガー２８ａ、２８ｂを有する前板２６を備えることがわかる。前板２６は、パネル１６のトリミングされた縁に沿った開口に接する垂直ワイヤ２０間のギャップに広がり、該垂直ワイヤ２０に重なるような構成および寸法とされる。前板２６がこのように配置されると、そのフィンガー２８ｂはトリミングされたパネル縁の外側に配列される。前板２６がパネル１６の反対側のトリミングされた縁に沿って配置される場合、そうすると、フィンガー２８ａはその縁の外側に配列される。このように前板２６はパネル１６のどちらかの側にあるトリミングされた縁に一般的に適用させるためにクリップ２４を適合させる。
【００１４】
裏板３０は、同じ開口に接する水平ワイヤ１８の間のギャップに広がり、該水平ワイヤ１８に重なるような構成および寸法とされる。裏板３０上の前方に突出した周囲フランジ３２は水平ワイヤ１８に機械的に係合するように配列される。
【００１５】
ネジ３４およびナット３６の形態の締結具が、前板２６および裏板３０を一緒にするのを促すように機能し、これにより、パネル１６のトリミングされた縁にクリップ２４が取り付けられる。
【００１６】
フィンガー２８は支柱１２ａ、１２ｂの個々の垂直スロット１４に入るようなサイズとされ、好ましくは、スロット１４の底縁に機械的に係合するようにフック形状とされる。
【００１７】
前板２６には好ましくはさらに、フィンガー２８に隣接して、その上方に同一平面のサイドフランジ３８が提供される。フランジ３８は止めピン４２を受け入れるように設計された開口部４０を有する。止めピン４２は開口部４０を通ってを挿入され、スロット１４内の適当な位置にタッピングされ、これにより、フィンガー２８がスロット１４内で機械的に係合されて固定される。
【００１８】
前記を考慮すると、本発明のクリップ２４はパネル１６のトリミングされた側に容易に取り付けることができ、これにより、パネル１６の長さの現場での短縮に対応することができることは、今や当業者には明らかであろう。前板２６の両側のフィンガー２８を用いることにより、クリップ２４はいずれかのパネル１６の縁への一般的適用のために設計されている。
【符号の説明】
【００１９】
１０  セキュリティパーティションシステム、１２  垂直支柱、１４  垂直スロット、１６  ワイヤパネル、１８  水平ワイヤ、２０  垂直ワイヤ、２４  クリップ、２６  前板、２８  フィンガー、３０  裏板、３２  周囲フランジ、３８  サイドフランジ、４２  止めピン。
【図１】
2010121439.tif 000003
【図２】
2010121439.tif 000004
【図３】
2010121439.tif 000005
【図４】
2010121439.tif 000006